(57)【要約】      （修正有）【課題】センサ端末の動作管理を円滑に行うことができるセンサネットワークシステムを提供する。【解決手段】センサネットワークシステムは、中継器７０と信号発生装置８０とセンサ端末１００とを備え、センサ端末１００は、センサ部１０と無線通信部２０と信号検出部３０と記憶部４０と制御部５０と、を備え、無線通信部２０は、高周波の電波信号を用いて中継器７０と無線通信を行い、制御信号は、音を用いた音信号又は光を用いた光信号であり、制御信号には、自身に対する信号か否かを識別するための識別情報と、自身の動作に関係する動作情報と、が含まれ、記憶部４０は、識別情報及び動作情報を照合するための照合情報を記憶しており、制御部５０は、識別情報と動作情報と照合情報とに基づいて動作を決定する。【選択図】図２
2018197956.tif 000002
【特許請求の範囲】
【請求項１】
所定のネットワークに接続される中継器と、所定の制御信号を発生させる信号発生装置と、を備えたセンサネットワークシステム内で使用され、所定のセンサ動作を行うセンサ端末であって、
前記センサ動作を行うセンサ部と、前記中継器との無線通信を行う無線通信部と、前記信号発生装置から送信される前記制御信号を検出する信号検出部と、各種の情報を記憶する記憶部と、各部の動作を制御する制御部と、を備え、
前記無線通信部は、高周波の電波信号を用いて前記中継器と無線通信を行い、
前記制御信号は、音を用いた音信号又は光を用いた光信号であり、
前記制御信号には、自身に対する信号か否かを識別するための識別情報と、自身の動作に関係する動作情報と、が含まれ、
前記記憶部は、前記識別情報及び前記動作情報を照合するための照合情報を記憶しており、
前記制御部は、前記識別情報と前記動作情報と前記照合情報とに基づいて動作を決定する、
ことを特徴とするセンサ端末。
【請求項２】
前記制御信号は、前記センサ動作を開始するための動作開始指示情報と前記識別情報とが含まれた第１制御信号と、前記センサ動作を停止するための動作停止指示情報と前記識別情報とが含まれた第２制御信号と、前記無線通信における認証更新を行うための認証更新指示情報と更新用の新しい認証情報と前記識別情報とが含まれた第３制御信号と、のうちのどれかである、
ことを特徴とする請求項１に記載のセンサ端末。
【請求項３】
前記信号検出部は、前記音信号に対応していて、
前記センサ部は、温度と気圧と磁気と照度とのうちの少なくとも１つに対応している、
ことを特徴とする請求項１又は請求項２に記載のセンサ端末。
【請求項４】
前記信号検出部は、前記光信号に対応していて、
前記センサ部は、温度と気圧と磁気と加速度と振動とのうちの少なくとも１つに対応している、
ことを特徴とする請求項１又は請求項２に記載のセンサ端末。
【請求項５】
所定のネットワークに接続される中継器と、所定の制御信号を発生させる信号発生装置と、所定のセンサ動作を行うセンサ端末と、を備えたセンサネットワークシステムであって、
前記センサ端末は、  前記センサ動作を行うセンサ部と、前記中継器との無線通信を行う無線通信部と、前記信号発生装置から送信される前記制御信号を検出する信号検出部と、各種の情報を記憶する記憶部と、各部の動作を制御する制御部と、を備え、
前記無線通信部は、高周波の電波信号を用いて前記中継器と無線通信を行い、
前記制御信号は、音を用いた音信号又は光を用いた光信号であり、
前記制御信号には、自身に対する信号か否かを識別するための識別情報と、自身の動作に関係する動作情報と、が含まれ、
前記記憶部は、前記識別情報及び前記動作情報を照合するための照合情報を記憶しており、
前記制御部は、前記識別情報と前記動作情報と前記照合情報とに基づいて動作を決定する、
ことを特徴とするセンサネットワークシステムシステム。
【発明の詳細な説明】
【技術分野】
【０００１】
本発明は、センサ端末及びこのセンサ端末が使用されるセンサネットワークシステムに係る。
【背景技術】
【０００２】
近年、ＩｏＴ（Internet of Things）と呼ばれる、モノがインターネットに接続され、情報交換することによって相互に制御する仕組みが開発されている。ＩｏＴ市場においては、センサノードと呼ばれるセンサ端末を複数個配置し、無線LAN（Local Area Network）やBluetooth（登録商標）等のような高周波の電波信号を利用した無線通信手段を用いてゲートウェイと呼ばれる中継器を介してセンサ端末と所定のネットワークとを通信接続させる、例えば、特許文献１に開示されたセンサネットワークシステムが実用化されている（図７参照）。
【０００３】
このようなセンサネットワークシステムでは、個々のセンサ端末それぞれをネットワークと通信接続させる際に認証を行なう必要が有り、通信接続に必要な認証情報を全てのセンサ端末に予め登録する等の方法が講じられる。
【先行技術文献】
【特許文献】
【０００４】
【特許文献１】特開２０１１−２５８１０９号公報
【発明の概要】
【発明が解決しようとする課題】
【０００５】
しかしながら、このようなセンサネットワークシステムでは、センサ端末を新たに設置する場合や認証情報を更新する場合等に、センサ端末毎に手動で設定を行う必要が有るため、設定が煩雑になっていた。また、センサ端末が手の届かない場所等に配置されていると設定自体が困難になってしまうという問題があった。このような問題は、同一のエリア内に多数のセンサ端末が配置されていた場合に更に顕著になる。
【０００６】
このようなセンサネットワークシステムにおいて、前述した無線通信手段を用いて設定を行うことも考えられるが、同一のエリア内に多数のセンサ端末が配置されていた場合には、使用する電波が制限されるので設定用の電波を確保し難くなったり、電波どうしの干渉によって本来のセンサ動作に対応した無線通信に悪影響を及ぼしたりする可能性が有った。その結果、これらのことが、センサ端末の動作管理を円滑に行うことに対する阻害要因となっていた。
【０００７】
本発明は、このような従来技術の実情に鑑みてなされたもので、その目的は、センサ端末の動作管理を円滑に行うことができるセンサネットワークシステム及びセンサ端末を提供することにある。
【課題を解決するための手段】
【０００８】
この課題を解決するために、本発明のセンサ端末は、所定のネットワークに接続される中継器と、所定の制御信号を発生させる信号発生装置と、を備えたセンサネットワークシステム内で使用され、所定のセンサ動作を行うセンサ端末であって、前記センサ動作を行うセンサ部と、前記中継器との無線通信を行う無線通信部と、前記信号発生装置から送信される前記制御信号を検出する信号検出部と、各種の情報を記憶する記憶部と、各部の動作を制御する制御部と、を備え、前記無線通信部は、高周波の電波信号を用いて前記中継器と無線通信を行い、前記制御信号は、音を用いた音信号又は光を用いた光信号であり、前記制御信号には、自身に対する信号か否かを識別するための識別情報と、自身の動作に関係する動作情報と、が含まれ、前記記憶部は、前記識別情報及び前記動作情報を照合するための照合情報を記憶しており、前記制御部は、前記識別情報と前記動作情報と前記照合情報とに基づいて動作を決定する、
という特徴を有する。
【０００９】
このように構成されたセンサ端末は、音信号又は光信号を用いて離れた所からセンサ端末の動作を制御することができ、センサ端末の動作管理が容易になる。しかも、音信号又は光信号を用いてセンサ端末の動作を制御することにより、制御信号がセンサ端末と中継器との無線通信に干渉し難くなり、無線通信への悪影響を抑制することができる。更に、識別情報と動作情報と照合情報とに基づいてセンサ端末の動作を決定することにより、センサ端末が同一エリア内に多数配置されていても、特定のセンサ端末のみを選択的に動作させることが可能となる。その結果、センサ端末の動作管理を円滑に行うことができる。
【００１０】
また、上記の構成において、前記制御信号は、前記センサ動作を開始するための動作開始指示情報と前記識別情報とが含まれた第１制御信号と、前記センサ動作を停止するための動作停止指示情報と前記識別情報とが含まれた第２制御信号と、前記無線通信における認証更新を行うための認証更新指示情報と更新用の新しい認証情報と前記識別情報とが含まれた第３制御信号と、のうちのどれかである、という特徴を有する。
【００１１】
このように構成されたセンサ端末は、動作開始指示情報が含まれた第１制御信号と、動作停止指示情報が含まれた第２制御信号と、認証更新指示情報と認証情報とが含まれた第３制御信号と、を使い分けることにより、センサ動作の開始及び停止と認証情報の更新とを円滑に行うことができる。
【００１２】
また、上記の構成において、前記信号検出部は、前記音信号に対応していて、前記センサ部は、温度と気圧と磁気と照度とのうちの少なくとも１つに対応している、という特徴を有する。
【００１３】
このように構成されたセンサ端末は、制御信号がセンサ動作に干渉し難くなり、センサ動作への悪影響を抑制することができる。
【００１４】
また、上記の構成において、前記信号検出部は、前記光信号に対応していて、前記センサ部は、温度と気圧と磁気と加速度と振動とのうちの少なくとも１つに対応している、という特徴を有する。
【００１５】
このように構成されたセンサ端末は、制御信号がセンサ動作に干渉し難くなり、センサ動作への悪影響を抑制することができる。
【００１６】
また、この課題を解決するために、本発明のセンサネットワークシステムは、所定のネットワークに接続される中継器と、所定の制御信号を発生させる信号発生装置と、所定のセンサ動作を行うセンサ端末と、を備えたセンサネットワークシステムであって、前記センサ端末は、前記センサ動作を行うセンサ部と、前記中継器との無線通信を行う無線通信部と、前記信号発生装置から送信される前記制御信号を検出する信号検出部と、各種の情報を記憶する記憶部と、各部の動作を制御する制御部と、を備え、前記無線通信部は、高周波の電波信号を用いて前記中継器と無線通信を行い、前記制御信号は、音を用いた音信号又は光を用いた光信号であり、前記制御信号には、自身に対する信号か否かを識別するための識別情報と、自身の動作に関係する動作情報と、が含まれ、前記記憶部は、前記識別情報及び前記動作情報を照合するための照合情報を記憶しており、前記制御部は、前記識別情報と前記動作情報と前記照合情報とに基づいて動作を決定する、という特徴を有する。
【００１７】
このように構成されたセンサネットワークシステムは、音信号又は光信号を用いて離れた所からセンサ端末の動作を制御することができ、センサ端末の動作管理が容易になる。しかも、音信号又は光信号を用いてセンサ端末の動作を制御することにより、センサ端末と中継器との無線通信への干渉を防止して無線通信への悪影響を抑制することができる。更に、識別情報と動作情報と照合情報とに基づいてセンサ端末の動作を決定することにより、センサ端末が同一エリア内に多数配置されていても、特定のセンサ端末のみを選択的に動作させることが可能となる。その結果、センサ端末の動作管理を円滑に行うことができる。
【発明の効果】
【００１８】
本発明のセンサ端末及びセンサネットワークシステムは、音信号又は光信号を用いて離れた所からセンサ端末の動作を制御することができ、センサ端末の動作管理が容易になる。しかも、音信号又は光信号を用いてセンサ端末の動作を制御することにより、センサ端末と中継器との無線通信への干渉を防止して無線通信への悪影響を抑制することができる。更に、識別情報と動作情報と照合情報とに基づいてセンサ端末の動作を決定することにより、センサ端末が同一エリア内に多数配置されていても、特定のセンサ端末のみを選択的に動作させることが可能となる。その結果、センサ端末の動作管理を円滑に行うことができる。
【図面の簡単な説明】
【００１９】
【図１】本発明のセンサネットワークシステムの構成を示すブロック図である。
【図２】本発明のセンサ端末の構成を示すブロック図である。
【図３】制御信号を構成する第１乃至第３制御信号内の各種情報を示す図である。
【図４】センサ端末の動作を示すフローチャートの前半部分である。
【図５】センサ端末の動作を示すフローチャートの後半部分である。
【図６】本発明のセンサ端末の変形例の構成を示すブロック図である。
【図７】従来例に係るセンサネットワークシステムのブロック図である。
【発明を実施するための形態】
【００２０】
以下、本発明のセンサネットワークシステムの実施形態及びセンサ端末の実施形態について、図面を参照しながら説明する。本発明のセンサネットワークシステムは、例えば、ホテルにおける各部屋の壁の内部や天井裏等の人の手の届かない場所にセンサ端末が配置されて使用される。尚、既存のホテルに新たに設置する場合は、部屋の内部にセンサ端末を配置するようにしても良い。本発明のセンサネットワークシステムは、ホテルにおいて例えば、温度や照度等の各部屋の環境を管理したり、ドアの開閉を検知したりするために使用される。
【００２１】
［センサネットワークシステムの実施形態］
最初に、本発明の実施形態であるセンサネットワークシステム２００について、図１を用いて説明する。図１は、センサネットワークシステム２００の構成を示すブロック図である。
【００２２】
センサネットワークシステム２００は、図１に示すように、中継器７０と信号発生装置８０と複数のセンサ端末１００又は１１０とを備えている。複数のセンサ端末１００又は１１０は、高周波の電波信号ＲＦＳ（以下、高周波信号ＲＦＳと略称）を用いて中継器７０と無線通信を行うことができる。信号発生装置８０は、センサ端末１００又は１１０の動作を制御するための所定の制御信号ＣＳＧを発生させると共に、発生した制御信号ＣＳＧをセンサ端末１００又は１１０に送信することができる。本実施形態では、制御信号ＣＳＧは、音を用いた音信号ＯＳＧ又は光を用いた光信号ＨＳＧとして、センサ端末１００又は１１０に送信される。
【００２３】
尚、ここでセンサ端末１００は、本発明の実施形態におけるセンサ端末であり、センサ端末１１０は、本発明の実施形態におけるセンサ端末の変形例である。センサ端末１００を適用する場合は、音信号ＯＳＧが制御信号ＣＳＧの送信に使用され、センサ端末１１０を適用する場合は、光信号ＨＳＧが制御信号ＣＳＧの送信に使用される。尚、センサ端末１００及びセンサ端末１１０の構成については、後に説明する。
【００２４】
センサネットワークシステム２００に配設された複数のセンサ端末１００又は１１０と中継器７０との間の無線通信には、例えば、２．４ＧＨｚ帯の高周波信号ＲＦＳを用いた無線LAN（Local Area Network）やBluetooth（登録商標）等の無線通信手段が用いられる。中継器７０は、センサ端末１００又は１１０の有る位置から、これらの無線通信手段の通信可能な範囲内に配置される。中継器７０は、有線等によってネットワーク９０に接続されている。尚、中継器７０の内部構成については、公知であるため、その説明を省略する。
【００２５】
信号発生装置８０から送信される音信号ＯＳＧ又は光信号ＨＳＧには、センサ端末１００又は１１０内の各部を制御する制御信号ＣＳＧ、又はセンサ端末１００又は１１０内の各部を起動させるための起動信号ＫＤＳが含まれている。この起動信号ＫＤＳは、センサネットワークシステム２００に配設される全てのセンサ端末１００又は１１０に共通に適用される。
【００２６】
信号発生装置８０から送信される音信号ＯＳＧに使用される音としては、可聴周波数帯域の音でも良いし、人の耳で聴こえない超音波であっても良い。また、光信号ＨＳＧに使用される光としては、可視光でも良いし、赤外線等であっても良い。また、音信号ＯＳＧや光信号ＨＳＧは、８ビット程度かそれ以上の情報量のデジタル信号であっても良いし、固有の識別パターンを含むアナログ信号であっても良い。
【００２７】
信号発生装置８０が音信号ＯＳＧを送信する場合、信号発生装置８０には所定の音信号ＯＳＧが登録されており、それを信号発生装置８０に設けられたスピーカからセンサ端末１００に向けて送信する。信号発生装置８０としては、例えば音声発生機能を有するスマートフォン等の既存の装置が用いられるが、センサネットワークシステム２００が、ホテルに適用された場合、ホテルに設置された放送設備を信号発生装置８０として使用することも可能である。
【００２８】
信号発生装置８０が光信号ＨＳＧを送信する場合、信号発生装置８０には所定の光信号ＨＳＧが登録されており、それを信号発生装置８０からセンサ端末１１０に向けて送信する。信号発生装置８０としては、例えばストロボ等のような発光機能を有するスマートフォン等の既存の装置が用いられるが、赤外線に対応したリモートコントロール装置や発光機能を有する専用の設備等を信号発生装置８０として使用することも可能である。
【００２９】
［センサ端末の実施形態］
次に、センサネットワークシステム２００内で使用される本発明の実施形態であるセンサ端末１００の構成について、図２及び図３を用いて説明する。図２は、センサ端末１００の構成を示すブロック図であり、図３は、制御信号ＣＳＧのうちの第１制御信号ＣＳ１、第２制御信号ＣＳ２、及び第３制御信号ＣＳ３内の各種情報を示す図である。
【００３０】
図２に示すように、センサ端末１００は、音信号ＯＳＧに対応しており、所定のセンサ動作が可能なセンサ１１を有するセンサ部１０と、中継器７０との無線通信を行う無線通信部２０と、音信号ＯＳＧを検出する信号検出部３０と、各種の情報を記憶する記憶部４０と、各部の動作を制御する制御部５０と、各部へ電源を供給する電源部６０と、を備えている。
【００３１】
音信号ＯＳＧとして送信される制御信号ＣＳＧには、図３に示すように、センサ端末１００が検出した制御信号ＣＳＧがセンサ端末１００自身に対する信号か否かを識別するための識別情報ＳＢＪと、センサ端末１００自身の動作に関係する動作情報ＤＳＪと、が常に含まれており、場合によっては通信接続に必要な認証情報ＮＳＪが更に含まれる。
【００３２】
また、制御信号ＣＳＧとしては、第１制御信号ＣＳ１と第２制御信号ＣＳ２と第３制御信号ＣＳ３とのうちのどれかが選択されて信号発生装置８０から送信される。
【００３３】
第１制御信号ＣＳ１には、センサ部１０内の各センサ１１がセンサ動作を開始する（以下、センサ部１０がセンサ動作を開始すると略称）ための動作開始指示情報ＤＫＪと識別情報ＳＢＪとが含まれており、第２制御信号ＣＳ２には、センサ部１０内の各センサ１１がセンサ動作を停止する（以下、センサ部１０がセンサ動作を停止すると略称）ための動作停止指示情報ＤＴＪと識別情報ＳＢＪとが含まれている。また、第３制御信号ＣＳ３には、無線通信における認証更新を行うための認証更新指示情報ＮＫＪと更新用の新しい認証情報ＮＳＪと識別情報ＳＢＪとが含まれている。これらの情報の中で、動作開始指示情報ＤＫＪと動作停止指示情報ＤＴＪと認証更新指示情報ＮＫＪとが、動作情報ＤＳＪに相当する。
【００３４】
図２に示す無線通信部２０は、制御部５０に接続されており、その内部には、無線LAN（Local Area Network）やBluetooth（登録商標）等の無線通信手段に対応した無線通信回路が搭載されている。この無線通信回路は、制御部５０に制御されながら、搭載された無線通信手段の所定の規格に従って、中継器７０と通信を行う。
【００３５】
記憶部４０は、制御部５０に接続されており、その内部には、制御信号ＣＳＧに含まれる識別情報ＳＢＪ及び動作情報ＤＳＪを照合するための照合情報ＳＧＪが記憶されている。即ち、制御信号ＣＳＧに含まれている識別情報ＳＢＪと記憶部４０内の照合情報ＳＧＪとを照合することによって、制御信号ＣＳＧが自機即ちセンサ端末１００自身に対する制御かどうかを判断できるようになっている。また、制御信号ＣＳＧに含まれている動作情報ＤＳＪと記憶部４０内の照合情報ＳＧＪとを照合することによって、制御信号ＣＳＧが第１制御信号ＣＳ１と第２制御信号ＣＳ２と第３制御信号ＣＳ３とのうちのどれであるか、即ち制御信号ＣＳＧがセンサ端末１００自身のどのような動作に対応したものかを判断できるようになっている。尚、このような照合方法は公知なので詳細な説明は省略する。
【００３６】
信号検出部３０は、制御部５０に接続されていると共に、音信号ＯＳＧに対応するための音信号検出部３１がその内部に備えられている。音信号検出部３１として、信号発生装置８０から音信号ＯＳＧが送信された時、その音信号ＯＳＧを受信するための装置、例えばマイクが設けられている。この音信号検出部３１によって、音信号ＯＳＧとして送信される起動信号ＫＤＳや、制御信号ＣＳＧに含まれている識別情報ＳＢＪや動作情報ＤＳＪや認証情報ＮＳＪを入手し、制御部５０に伝送する。
【００３７】
制御部５０は、制御信号ＣＳＧに含まれている識別情報ＳＢＪ及び動作情報ＤＳＪと、記憶部４０に記憶されている照合情報ＳＧＪと、を照合し、その照合結果に基づいてセンサ端末１００の動作を決定する。
【００３８】
センサ部１０は、制御部５０に接続されており、その内部には、所定の各種センサ動作が可能な１つまたは複数のセンサ１１が内蔵されている。
【００３９】
センサ端末１００の場合、温度と気圧と磁気と照度とのうちの少なくとも１つに対応するため、センサ１１として、温度センサ１１ａ、気圧センサ１１ｂ、磁気センサ１１ｃ、及び又は照度センサ１１ｄが内蔵されている。
【００４０】
温度センサ１１ａ及び気圧センサ１１ｂは、例えば、ホテルの部屋の中の温度や気圧を検知し、その後の部屋の環境管理に活用するためのものである。尚、部屋の環境管理のために、湿度センサ等その他のセンサが内蔵されていても良い。また、照度センサ１１ｄは、例えば、ホテルの部屋の照度を検知し、部屋の照明の管理に活用するためのものである。
【００４１】
磁気センサ１１ｃは、例えば、ホテルの部屋のドア内に取り付けられた磁石の位置を検知し、ドアの開け閉めの状態を検知するためのものである。その結果により、部屋の掃除等、その後の部屋の管理に役立てることができる。
【００４２】
次に、センサ端末１００の動作について、図２乃至図５を用いて説明する。図４は、センサ端末１００の動作を示すフローチャートの前半部分であり、図５は、センサ端末１００の動作を示すフローチャートの後半部分である。尚、信号発生装置８０からは、音信号ＯＳＧが送信され、センサ端末１００は、信号検出部３０が音信号ＯＳＧに対応した音信号検出部３１となっている。従って、このフローチャートは、信号検出部３０が音信号ＯＳＧに対応している場合のセンサ端末１００の動作を表示している。また、図４及び図５において、フローチャートの各ステップを、ＳＴ０乃至ＳＴ１４と称する。
【００４３】
センサ端末１００は、図４に示すフローチャートの前半部分において、センサ端末１００がスリープモードになっている状態から、その動作が開始される。尚、スリープモードであっても、信号検出部３０と信号検出部３０に関連する制御部５０の一部の機能が作動しているものとする。そして、まず、ＳＴ０において、音信号ＯＳＧとして信号発生装置８０から送信された起動信号ＫＤＳが信号検出部３０によって検出されることでセンサ端末１００が起動し、ウエイクアップモードに移行する。（ＳＴ１）
【００４４】
次に、ＳＴ２において、音信号ＯＳＧとして信号発生装置８０から送信された制御信号ＣＳＧが信号検出部３０によって検出されたかどうかが、制御部５０で判断される。ＳＴ２では、制御信号ＣＳＧが検出されなかったら、ＳＴ２に戻る。また、制御信号ＣＳＧが検出されたら、次の段階、即ちＳＴ３に進む。
【００４５】
ＳＴ３では、制御部５０に入力された制御信号ＣＳＧに含まれている識別情報ＳＢＪと記憶部４０内の照合情報ＳＧＪとを照合することによって、制御信号ＣＳＧが自機即ちセンサ端末１００自身に対する制御かどうかどうかが、制御部５０で判断される。もしも、自機への制御ではない場合は、ＳＴ２に戻る。また、自機への制御である場合は、次の段階、即ちＳＴ４に進む。
【００４６】
ＳＴ４では、制御信号ＣＳＧに含まれている動作情報ＤＳＪと記憶部４０内の照合情報ＳＧＪとを照合することによって、センサ部１０がセンサ動作を開始するための動作開始指示を制御信号ＣＳＧが含んでいるかどうか、即ち制御信号ＣＳＧが動作開始指示情報ＤＫＪを含んだ第１制御信号ＣＳ１であるかどうかが、制御部５０で判断される。もしも、動作開始指示がなかったら、ＳＴ２に戻る。また、動作開始指示があれば、次の段階、即ちＳＴ５に進む。
【００４７】
ＳＴ５では、センサ端末１００内の各部を作動させる。まず、センサ部１０内のセンサ１１を動作させる。尚、動作開始指示情報ＤＫＪには、センサ部１０内のどのセンサ１１を動作させるかの情報も含まれており、全てのセンサ１１を動作させることもできるし、特定のセンサ１１を動作させることもできるようになっている。即ち、所定のセンサ動作をさせることができる。そして、ＳＴ５では、センサ部１０を作動させると共に、無線通信部２０を作動させる。
【００４８】
次に、ＳＴ６において、中継器７０と無線通信部２０とを通信接続する。中継器７０と無線通信部２０とが通信接続されることによって、センサ部１０で得られたセンサ情報を、中継器７０を介して外部に送信することが可能になる。
【００４９】
中継器７０と無線通信部２０とが通信接続されたら、図５のＳＴ７に示すように、センサ部１０で得られたセンサ情報を、図１に示したネットワーク９０を介して定期的に外部に送信する。このようにして、センサ情報を定期的に得ることができる。
【００５０】
その後、ＳＴ８において、音信号ＯＳＧとして信号発生装置８０から送信された制御信号ＣＳＧが信号検出部３０によって検出されたかどうかが、制御部５０で判断される。制御信号ＣＳＧが検出されなかったらＳＴ７に戻る。即ち、センサ端末１００を特に制御する必要がなければ、ＳＴ７の状態が継続されることになる。もしも、制御信号ＣＳＧが検出されたら、次の段階、即ちＳＴ９に進む。
【００５１】
ＳＴ９では、制御部５０に入力された制御信号ＣＳＧに含まれている識別情報ＳＢＪと記憶部４０内の照合情報ＳＧＪとを照合することによって、制御信号ＣＳＧが自機即ちセンサ端末１００自身に対する制御かどうかどうかが、制御部５０で判断される。もしも、自機への制御でない場合はＳＴ７に戻る。また、自機への制御であった場合は、次の段階、即ちＳＴ１０に進む。
【００５２】
ＳＴ１０では、制御信号ＣＳＧに含まれている動作情報ＤＳＪと記憶部４０内の照合情報ＳＧＪとを照合することによって、無線通信における認証更新を行うための認証更新指示を制御信号ＣＳＧが含んでいるかどうか、即ち制御信号ＣＳＧが認証更新指示情報ＮＫＪと認証情報ＮＳＪとを含んだ第３制御信号ＣＳ３であるかどうかが、制御部５０で判断される。もしも、認証更新指示があれば、次の段階、即ちＳＴ１１に進む。
【００５３】
ＳＴ１１では、認証情報ＮＳＪを更新する。即ち、記憶部４０内に記憶されている認証情報ＮＳＪを、第３制御信号ＣＳ３に含まれている更新用の新しい認証情報ＮＳＪに更新する。これによって、センサ端末１００内の認証情報ＮＳＪが最新のものに更新される。
【００５４】
その後、ＳＴ１２においては、従来の認証情報ＮＳＪを用いず、上述の最新の認証情報ＮＳＪを用いた通信が行なわれ、センサ端末１００と中継器７０とが再接続される。
【００５５】
前述したＳＴ１０の段階で、もしも、認証更新指示がなければ、ＳＴ１１及びＳＴ１２を飛ばして、ＳＴ１２の次の段階のＳＴ１３に進む。従って、その場合、無線通信部２０と中継器７０との間で、従来の認証情報ＮＳＪを用いた通信が継続される。
【００５６】
次に、ＳＴ１３では、制御信号ＣＳＧに含まれている動作情報ＤＳＪと記憶部４０内の照合情報ＳＧＪとを照合することによって、センサ部１０がセンサ動作を停止するための動作停止指示を制御信号ＣＳＧが含んでいるかどうか、即ち制御信号ＣＳＧが動作停止指示情報ＤＴＪを含んだ第２制御信号ＣＳ２であるかどうかが、制御部５０で判断される。もしも、動作停止指示がなければ、ＳＴ７に戻る。また、動作停止指示があれば、次の段階、即ちＳＴ１４に進む。
【００５７】
ＳＴ１４では、センサ端末１００の動作を停止する。即ち、ＳＴ１４では、制御部５０からの指示によって、センサ部１０内のセンサ１１の動作を停止させると共に、無線通信部２０による通信を停止させる。これによって、センサ端末１００は、スリープモードに移行する。
【００５８】
［センサ端末の変形例の実施形態］
次に、センサネットワークシステム２００内で使用される本発明の実施形態の変形例であるセンサ端末１１０の構成について、図６を用いて説明する。図６は、センサ端末１１０の構成を示すブロック図である。尚、前述したセンサ端末１００とセンサ端末１１０との相違点は、センサ端末１００が音信号ＯＳＧに対応しているのに対して、センサ端末１１０が光信号ＨＳＧに対応していること、及びセンサ端末１１０のセンサ部１５内のセンサ１６の構成が、センサ端末１００のセンサ部１０内のセンサ１１の構成と異なることである。そのため、これら相違点以外については、その説明を一部省略する。
【００５９】
図６に示すように、センサ端末１１０は、光信号ＨＳＧに対応しており、所定のセンサ動作が可能な、センサ１６を有するセンサ部１５と、中継器７０との無線通信を行う無線通信部２０と、光信号ＨＳＧを検出する信号検出部３５と、各種の情報を記憶する記憶部４０と、各部の動作を制御する制御部５０と、各部へ電源を供給する電源部６０と、を備えている。
【００６０】
光信号ＨＳＧとして送信される制御信号ＣＳＧには、センサ端末１１０が検出した制御信号ＣＳＧがセンサ端末１１０自身に対する信号か否かを識別するための識別情報ＳＢＪと、センサ端末１１０自身の動作に関係する動作情報ＤＳＪと、が常に含まれており、場合によっては通信接続に必要な認証情報ＮＳＪが更に含まれる。
【００６１】
信号検出部３５は、制御部５０に接続されていると共に、光信号ＨＳＧに対応するための光信号検出部３６がその内部に備えられている。光信号検出部３６として、信号発生装置８０から光信号ＨＳＧが送信された時、その光信号ＨＳＧを受信するための受光部が設けられている。この光信号検出部３６によって光信号ＨＳＧとして送信された起動信号ＫＤＳや、制御信号ＣＳＧに含まれている識別情報ＳＢＪや動作情報ＤＳＪや認証情報ＮＳＪを入手し、制御部５０に伝送する。
【００６２】
センサ部１５は、制御部５０に接続されており、その内部には、所定の各種センサ動作が可能な１つまたは複数のセンサ１６が内蔵されている。
【００６３】
センサ端末１１０の場合、温度と気圧と磁気と加速度と振動とのうちの少なくとも１つに対応するため、センサ１６として、温度センサ１６ａ、気圧センサ１６ｂ、磁気センサ１６ｃ、加速度センサ１６ｄ、及び又は振動センサ１６ｅが内蔵されている。
【００６４】
温度センサ１６ａ及び気圧センサ１６ｂは、例えば、ホテルの部屋の中の温度や気圧を検知し、その後の部屋の環境管理に活用するためのものである。尚、部屋の環境管理のために、湿度センサ等その他のセンサが内蔵されていても良い。
【００６５】
磁気センサ１６ｃ、加速度センサ１６ｄ、及び振動センサ１６ｅは、例えば、ホテルの部屋のドア内に取り付けられて、ドアの開け閉めの状態を検知するためのものである。その結果により、部屋の掃除等、その後の部屋の管理に役立てることができる。
【００６６】
センサ端末１１０の動作については、センサ端末１１０が光信号ＨＳＧに対応して動作を行なうことが、センサ端末１００の場合と異なるだけであり、その内容は、センサ端末１００の場合と同様であるため、その説明を省略する。
【００６７】
以下、本実施形態としたことによる効果について説明する。
【００６８】
センサ端末１００は、音信号ＯＳＧを用いて離れた所からセンサ端末１００の動作を制御することができ、センサ端末１００の動作管理が容易になる。しかも、音信号ＯＳＧを用いてセンサ端末１００の動作を制御することにより、制御信号ＣＳＧがセンサ端末１００と中継器７０との無線通信に干渉し難くなり、無線通信への悪影響を抑制することができる。更に、識別情報ＳＢＪと動作情報ＤＳＪと照合情報ＳＧＪとに基づいてセンサ端末１００の動作を決定することにより、センサ端末１００が同一エリア内に多数配置されていても、特定のセンサ端末１００のみを選択的に動作させることが可能となる。その結果、センサ端末１００の動作管理を円滑に行うことができる。
【００６９】
また、センサ端末１００は、動作開始指示情報ＤＫＪが含まれた第１制御信号ＣＳ１と、動作停止指示情報ＤＴＪが含まれた第２制御信号ＣＳ２と、認証更新指示情報ＮＫＪと認証情報ＮＳＪとが含まれた第３制御信号ＣＳ３と、を使い分けることにより、センサ動作の開始及び停止と認証情報の更新とを円滑に行うことができる。
【００７０】
また、センサ端末１００は、信号検出部３０が音信号ＯＳＧに対応していて、センサ部１０が、温度と気圧と磁気と照度とのうちの少なくとも１つに対応しているので、制御信号ＣＳＧがセンサ動作に干渉し難くなり、センサ動作への悪影響を抑制することができる。
【００７１】
また、センサ端末１１０は、信号検出部３０が光信号ＨＳＧに対応していて、センサ部１６が温度と気圧と磁気と加速度と振動とのうちの少なくとも１つに対応しているので、制御信号ＣＳＧがセンサ動作に干渉し難くなり、センサ動作への悪影響を抑制することができる。
【００７２】
また、センサネットワークシステム２００は、音信号ＯＳＧ又は光信号ＨＳＧを用いて離れた所からセンサ端末１００又は１１０の動作を制御することができ、センサ端末１００又は１１０の動作管理が容易になる。しかも、音信号ＯＳＧ又は光信号ＨＳＧを用いてセンサ端末１００又は１１０の動作を制御することにより、制御信号ＣＳＧがセンサ端末１００又は１１０と中継器７０との無線通信に干渉し難くなり、無線通信への悪影響を抑制することができる。更に、識別情報ＳＢＪと動作情報ＤＳＪと照合情報ＳＧＪとに基づいてセンサ端末１００又は１１０の動作を決定することにより、センサ端末１００又は１１０が同一エリア内に多数配置されていても、特定のセンサ端末１００又は１１０のみを選択的に動作させることが可能となる。その結果、センサ端末１００又は１１０の動作管理を円滑に行うことができる。
【００７３】
以上説明したように、本発明のセンサ端末及びセンサネットワークシステムは、音信号又は光信号を用いて離れた所からセンサ端末の動作を制御することができ、センサ端末の動作管理が容易になる。しかも、音信号又は光信号を用いてセンサ端末の動作を制御することにより、センサ端末と中継器との無線通信への干渉を防止して無線通信への悪影響を抑制することができる。更に、識別情報と動作情報と照合情報とに基づいてセンサ端末の動作を決定することにより、センサ端末が同一エリア内に多数配置されていても、特定のセンサ端末のみを選択的に動作させることが可能となる。その結果、センサ端末の動作管理を円滑に行うことができる。
【００７４】
以上のように、本発明の実施形態に係るセンサ端末及びセンサネットワークシステムについて説明したが、本発明は上記の実施形態に限定されるものではなく、要旨を逸脱しない範囲で種々変更して実施することが可能である。
【符号の説明】
【００７５】
１０        センサ部
１１        センサ
１５        センサ部
１６        センサ
２０        無線通信部
３０        信号検出部
３１        音信号検出部
３５        信号検出部
３６        光信号検出部
４０        記憶部
５０        制御部
７０        中継器
８０        信号発生装置
９０        ネットワーク
１００      センサ端末
１１０      センサ端末
２００      センサネットワークシステム
ＯＳＧ      音信号
ＨＳＧ      光信号 
ＫＤＳ      起動信号
ＣＳＧ      制御信号
ＣＳ１      第１制御信号
ＣＳ２      第２制御信号
ＣＳ３      第３制御信号
ＲＦＳ      高周波信号
ＳＢＪ      識別情報
ＤＳＪ      動作情報
ＳＧＪ      照合情報
ＤＫＪ      動作開始指示情報
ＤＴＪ      動作停止指示情報
ＮＳＪ      認証情報
ＮＫＪ      認証更新指示情報
【図１】
2018197956.tif 000003
【図２】
2018197956.tif 000004
【図３】
2018197956.tif 000005
【図４】
2018197956.tif 000006
【図５】
2018197956.tif 000007
【図６】
2018197956.tif 000008
【図７】
2018197956.tif 000009